(57)【特許請求の範囲】
【請求項１】
一端が開口している杭を地面に打ち込むための杭打ち治具であって、
ハンマー等の打撃具により打撃を加える打撃部材と、
杭の一端から挿入可能で杭打ち治具の位置決めを行う位置決め部材と、
前記打撃部材と前記位置決め部材とを打撃方向に同軸に連結し、前記打撃部材に負荷された打撃力を杭に伝達する伝達部材と、を備え、
前記伝達部材は、
前記位置決め部材側で杭の開口端部に係止する外形が円柱状の係止部と、
前記係止部と連続して形成され、前記打撃部材に向かって外径が小さくなる略円錐面を有するテーパー部と、を備え、
前記打撃部材は、前記伝達部材との境界部よりも外径が大きい円板または円柱状に形成され、前記伝達部材より硬度が高く形成されており、
前記伝達部材のテーパー部は、前記打撃部材との境界部において前記位置決め部材の外径と略同一となるように形成されていることを特徴とする杭打ち治具。
【請求項２】
前記伝達部材の係止部は、外径が杭の外径と略同一に形成されていることを特徴とする請求項１に記載の杭打ち治具。
【請求項３】
一端が開口している杭を地面に打ち込むための杭打ち治具であって、
ハンマー等の打撃具により打撃を加える打撃部材と、
杭の一端から挿入可能で杭打ち治具の位置決めを行う位置決め部材と、
前記打撃部材と前記位置決め部材とを打撃方向に同軸に連結し、前記打撃部材に負荷された打撃力を杭に伝達する伝達部材と、を備え、
前記伝達部材は、
前記位置決め部材側で杭の開口端部に係止する外形が円柱状の係止部と、
前記係止部と連続して形成され、前記打撃部材に向かって外径が小さくなる略円錐面を有するテーパー部と、を備え、
前記打撃部材は、前記伝達部材との境界部よりも外径が大きい円板または円柱状に形成され、前記伝達部材より硬度が高く形成されており、
前記打撃部材は打撃面に対向する面に前記伝達部材のテーパー部を圧入可能な凹部を備えており、当該凹部において前記伝達部材と結合されて一体的に形成されていることを特徴とする杭打ち治具。
【請求項４】
前記伝達部材の係止部は、外径が杭の外径と略同一に形成されていることを特徴とする請求項３に記載の杭打ち治具。
【請求項５】
一端が開口している杭を地面に打ち込むための杭打ち治具であって、
杭の一端から挿入可能で杭打ち治具の位置決めを行う位置決め部材と、
前記位置決め部材と打撃方向に同軸に連結され、ハンマー等の打撃具により打撃を加える打撃面を有し、前記打撃面に負荷された打撃力を杭に伝達する伝達部材と、を備え、
前記伝達部材は、
前記位置決め部材側で杭の開口端部に係止する外形が円柱状の係止部と、
前記係止部と連続して形成され、前記位置決め部材の反対側に向かって外径が小さくなる略円錐面を有するテーパー部と、を備え、
前記テーパー部の前記打撃面側には、硬度が高い領域である高硬度部が形成されており、
前記打撃面は、外径が前記位置決め部材の外径と略同一となるように形成されていることを特徴とする杭打ち治具。
【発明の詳細な説明】
【技術分野】
【０００１】
本発明は、建築用部材を支持するため等に用いられる杭を地面に打ち込むために使用する杭打ち治具に関する。
【背景技術】
【０００２】
建設作業現場において、建築用部材を支持するため等に用いられる杭（くい）は、手すり、柵などの仮設の構造物やソーラーパネルなどの設置などに用いられ、必要不可欠な建築資材である。
従来、一端が開口した杭（単管を含む）を地面に打ち込むときには、開口部を覆うキャップをかぶせて当該キャップにハンマー等の打撃具により打撃力を負荷していていた。また、その他の方法として、例えば特許文献１には、杭の開口部に径が異なる円柱状部材を組み合わせた杭打ち治具を挿入して、杭を保持するとともに杭打ちを行う技術が開示されている。
【先行技術文献】
【特許文献】
【０００３】
【特許文献１】特開２００８−４５３３６号公報
【発明の概要】
【発明が解決しようとする課題】
【０００４】
しかし、キャップを用いた場合には、数本の杭の杭打ち作業を行うと変形などにより使用不能となってしまい、耐久性が乏しいという問題があった。また、杭に過大な打撃力が負荷されやすい、打撃力が杭の端部に均等に負荷されないために、杭の変形が起こりやすいという問題があった。
また、特許文献１に記載の治具では、杭に過大な打撃力が負荷されやすく、杭の変形が起こりやすいという問題があった。
【０００５】
そこで、本発明では、耐久性が高く、杭が変形せずに杭打ち作業が可能である杭の杭打ち治具を提供することを目的とする。
【課題を解決するための手段】
【０００６】
上記課題を解決するために、請求項１に記載の発明では、一端が開口している杭を地面に打ち込むための杭打ち治具であって、ハンマー等の打撃具により打撃を加える打撃部材と、杭の一端から挿入可能で杭打ち治具の位置決めを行う位置決め部材と、前記打撃部材と前記位置決め部材とを打撃方向に同軸に連結し、前記打撃部材に負荷された打撃力を杭に伝達する伝達部材と、を備え、前記伝達部材は、前記位置決め部材側で杭の開口端部に係止する外形が円柱状の係止部と、前記係止部と連続して形成され、前記打撃部材に向かって外径が小さくなる略円錐面を有するテーパー部と、を備え、前記打撃部材は、前記伝達部材との境界部よりも外径が大きい円板または円柱状に形成され、前記位置決め部材及び伝達部材より硬度が高く形成されており、前記伝達部材のテーパー部は、前記打撃部材との境界部において前記位置決め部材の外径と略同一となるように形成されている、という技術的手段を用いる。
【０００７】
請求項１に記載の発明によれば、打撃部材は硬度が高く形成されているので、大きな打撃力を負荷しても変形や破損することがなく、耐久性が高いので、繰り返し長期間にわたって使用することができる。また、打撃面が変形しにくいため打撃面を杭の打撃方向に対して垂直な状態を保つことができるので、杭に対して打撃方向からずれた曲げ方向の応力が負荷されることがなく、杭の変形を防ぐことができる。
伝達部材により、打撃部材に負荷された打撃力をテーパー部により打撃方向から略円錐面の方向に拡張して伝達してから杭の開口端部に負荷するため、過大な打撃力が杭に負荷されることがない。伝達部材は打撃部材よりも軟質であるため、打撃部材に過大な打撃力が負荷された場合でも、打撃力を吸収することができる。このように、杭に過大な打撃力が伝達されることがないため、杭にふくれや座屈などの変形が生じることを防ぐことができる。係止部が円柱状に形成されているので、変形を生じにくいとともに、杭の開口端部に打撃力を確実に伝達させることができる。
位置決め部材を杭の開口した一端から挿入するだけで杭打ち治具の正確な位置決めを行うことができ、がたつきがなく、安定した杭打ち作業を行うことができる。また、杭が内側に変形するような応力が負荷されたときにも位置決め部材により杭の内側から支持して変形しないようにすることができる。
以上のように、耐久性が高く、杭が変形せずに杭打ち作業が可能である杭の杭打ち治具を提供することができる。
また、打撃部材が受けた打撃力が、打撃方向から略円錐面の方向に拡張して伝達してから杭の開口端部に負荷され、打撃方向に伝達して直接杭の開口端部に負荷されることがないため、過大な打撃力が杭に負荷されることがないので、杭にふくれや座屈などの変形が生じることを防ぐことができる。
【００１０】
請求項２に記載の発明では、請求項１に記載の杭打ち治具において、前記伝達部材の係止部は、外径が杭の外径と略同一に形成されている、という技術的手段を用いる。
【００１１】
請求項２に記載の発明によれば、係止部が杭の開口端部に係止する幅が狭すぎて十分な打撃力が杭に伝達されなかったり杭の端部が変形したりすることがない。また、係止する幅が広すぎて杭が係止部に食い込み係止部が変形することがない。これにより、杭や杭打ち治具の変形などの不具合が生じることなく、安定した杭打ち作業を行うことができる。
【００１４】
請求項３に記載の発明では、一端が開口している杭を地面に打ち込むための杭打ち治具であって、ハンマー等の打撃具により打撃を加える打撃部材と、杭の一端から挿入可能で杭打ち治具の位置決めを行う位置決め部材と、前記打撃部材と前記位置決め部材とを打撃方向に同軸に連結し、前記打撃部材に負荷された打撃力を杭に伝達する伝達部材と、を備え、前記伝達部材は、前記位置決め部材側で杭の開口端部に係止する外形が円柱状の係止部と、前記係止部と連続して形成され、前記打撃部材に向かって外径が小さくなる略円錐面を有するテーパー部と、を備え、前記打撃部材は、前記伝達部材との境界部よりも外径が大きい円板または円柱状に形成され、前記位置決め部材及び伝達部材より硬度が高く形成されており、前記打撃部材は打撃面に対向する面に前記伝達部材のテーパー部を圧入可能な凹部を備えており、当該凹部において前記伝達部材と結合されて一体的に形成されている、という技術的手段を用いる。
請求項４に記載の発明では、請求項１に記載の杭打ち治具において、前記伝達部材の係止部は、外径が杭の外径と略同一に形成されている、という技術的手段を用いる。
【００１５】
請求項３に記載の発明によれば、打撃部材は硬度が高く形成されているので、大きな打撃力を負荷しても変形や破損することがなく、耐久性が高いので、繰り返し長期間にわたって使用することができる。また、打撃面が変形しにくいため打撃面を杭の打撃方向に対して垂直な状態を保つことができるので、杭に対して打撃方向からずれた曲げ方向の応力が負荷されることがなく、杭の変形を防ぐことができる。
伝達部材により、打撃部材に負荷された打撃力をテーパー部により打撃方向から略円錐面の方向に拡張して伝達してから杭の開口端部に負荷するため、過大な打撃力が杭に負荷されることがない。伝達部材は打撃部材よりも軟質であるため、打撃部材に過大な打撃力が負荷された場合でも、打撃力を吸収することができる。このように、杭に過大な打撃力が伝達されることがないため、杭にふくれや座屈などの変形が生じることを防ぐことができる。係止部が円柱状に形成されているので、変形を生じにくいとともに、杭の開口端部に打撃力を確実に伝達させることができる。
位置決め部材を杭の開口した一端から挿入するだけで杭打ち治具の正確な位置決めを行うことができ、がたつきがなく、安定した杭打ち作業を行うことができる。また、杭が内側に変形するような応力が負荷されたときにも位置決め部材により杭の内側から支持して変形しないようにすることができる。
以上のように、耐久性が高く、杭が変形せずに杭打ち作業が可能である杭の杭打ち治具を提供することができる。
また、他の部材と硬度が異なる打撃部材が圧入により伝達部材と結合されて一体的に形成されるので、杭打ち治具を簡単な工程で作製することができる。
請求項４に記載の発明によれば、係止部が杭の開口端部に係止する幅が狭すぎて十分な打撃力が杭に伝達されなかったり杭の端部が変形したりすることがない。また、係止する幅が広すぎて杭が係止部に食い込み係止部が変形することがない。これにより、杭や杭打ち治具の変形などの不具合が生じることなく、安定した杭打ち作業を行うことができる。
【００１６】
請求項５に記載の発明では、一端が開口している杭を地面に打ち込むための杭打ち治具であって、杭の一端から挿入可能で杭打ち治具の位置決めを行う位置決め部材と、
前記位置決め部材と打撃方向に同軸に連結され、ハンマー等の打撃具により打撃を加える打撃面を有し、前記打撃面に負荷された打撃力を杭に伝達する伝達部材と、を備え、前記伝達部材は、前記位置決め部材側で杭の開口端部に係止する外形が円柱状の係止部と、前記係止部と連続して形成され、前記位置決め部材の反対側に向かって外径が小さくなる略円錐面を有するテーパー部と、を備え、前記テーパー部の前記打撃面側には、硬度が高い領域である高硬度部が形成されており、前記打撃面は、外径が前記位置決め部材の外径と略同一となるように形成されている、という技術的手段を用いる。
【００１７】
請求項５に記載の発明によれば、伝達部材に高硬度部が形成されているので、大きな打撃力を負荷しても変形や破損することがなく、繰り返し長期間にわたって使用することが
できるので、効率的な杭打ち作業を行うことができる。また、打撃面が変形しにくいため打撃面を打撃方向に対して垂直な状態を保つことができるので、杭に対して打撃方向からずれた曲げ方向の応力が負荷されることがなく、杭の変形を防ぐことができる。
伝達部材により打撃力をテーパー部により打撃方向から略円錐面の方向に拡張して伝達してから杭の開口端部に負荷するため、過大な打撃力が杭に負荷されることがない。伝達部材は高硬度部以外の領域は高硬度部よりも軟質であるため、打撃面に過大な打撃力が負荷された場合でも、打撃力を吸収することができる。このように、杭に過大な打撃力が伝達されることがないため、杭にふくれや座屈などの変形が生じることを防ぐことができる。係止部が円柱状に形成されているので、変形を生じにくいとともに、杭の開口端部に打撃力を確実に伝達させることができる。
位置決め部材を杭の開口した一端から挿入するだけで杭打ち治具の正確な位置決めを行うことができ、がたつきがなく、安定した杭打ち作業を行うことができる。また、杭が内側に変形するような応力が負荷されたときにも位置決め部材により変形しないようにすることができる。
以上のように、耐久性が高く、杭が変形せずに、効率的な杭打ち作業可能である杭の杭打ち治具を提供することができる。
【図面の簡単な説明】
【００１８】
【図１】第１実施形態の杭打ち治具の構造を示す斜視図である。
【図２】第１実施形態の杭打ち治具の構造を示す側面図である。なお、使用状況を説明するために、杭の断面図を併記している。
【図３】第１実施形態の杭打ち治具の作製方法の一例を示す側面図である。
【図４】第２実施形態の杭打ち治具の構造を示す側面図である。
【図５】比較例で用いた杭打ち治具の概略形状を示す側面図である。
【発明を実施するための形態】
【００１９】
（第１実施形態）
本発明に係る、一端が開口している杭を地面に打ち込むための杭打ち治具について、図１、２を参照して説明する。ここで、市販されている標準的な杭として、外径４８.６ｍｍ 肉厚２.４ｍｍの単管の一方の先端にコーン状の尖った部分が形成され、他端が開口している杭をハンマーで打撃する場合を例に説明する。ここで、図２においては杭打ち治具１の使用状況をわかりやすく説明するために杭Ｋの断面図を併記している。
【００２０】
一般的に杭は単管に比べ高価なので、いわゆる杭でなく、単管を直接地面に打ち込む場合がある。本発明においては、杭としての機能を発現させるものを「杭」として取り扱うため、このような使用方法の単管は「杭」として考える。
【００２１】
杭打ち治具１は、ハンマー等の打撃具により打撃を加える打撃部材１０と、杭Ｋの開口した一端から挿入可能で杭打ち治具の位置決めを行う位置決め部材３０と、打撃部材１０と位置決め部材３０とを打撃方向Ａの同軸に連結し、打撃部材１０に負荷された打撃力を杭に伝達する伝達部材２０と、を備えている。
【００２２】
杭打ち治具１は、鋼材からなり、打撃部材１０、伝達部材２０及び位置決め部材３０が一体的に形成されている。本実施形態では、機械構造用炭素鋼Ｓ２５Ｃを用いたがこれに限定されるものではなく、杭打ち作業が可能な材料を適宜選定することができる。
【００２３】
打撃部材１０は、伝達部材２０との境界部２０ａの外径Ｄ１よりも外径Ｄ２が大きい円板または円柱状であり、打撃面１０ａが打撃方向Ａに対して垂直になるように形成されている。また、打撃部材１０には焼き入れ処理が施されており、少なくとも打撃面１０ａ近傍は、位置決め部材３０及び伝達部材２０よりも硬度が高く形成されている。これにより、打撃部材１０は大きな打撃力を負荷しても変形や破損することがなく、繰り返し長期間にわたって使用することができるので、効率的な杭打ち作業を行うことができる。また、打撃面１０ａが変形しにくいため打撃面１０ａを打撃方向Ａに対して垂直な状態を保つことができるので、杭Ｋに対して打撃方向Ａからずれた曲げ方向の応力が負荷されることがなく、杭の変形を防ぐことができる。例えば、打撃部材１０（少なくとも打撃面１０ａ）の硬さはロックウェル硬さＨＲＣ（ＪＩＳ  Ｚ２２４５：２０１１）で３０−３５とすることができる。なお、杭打ち治具１全体に焼き入れ処理を施すと、脆くなり破損しやすくなるため、打撃部材１０のみに焼き入れ処理を施すことが好ましい。
【００２４】
打撃部材１０の外径は、ハンマー等の一般的な打撃具の打撃部の大きさを勘案して設定される。例えば、ハンマーを用いる場合には、外径６０ｍｍ程度とすると打撃を加えやすく好適である。また、打撃部材１０の厚さｔ１は、薄過ぎて打撃力で変形する、また、厚過ぎて打撃部材１０において打撃力を吸収してしまい杭に適切な打撃力が負荷されなくなる、ことがないように、１５−２０ｍｍとすることが好ましい。
【００２５】
伝達部材２０は、位置決め部材３０で杭Ｋの開口端部Ｋ１に係止する外形が円柱状の係止部２１と、係止部２１と連続して形成され、打撃部材１０に向かって外径が小さくなる略円錐面２２ａを有するテーパー部２２と、を備えた中実の部材である。
【００２６】
係止部２１は、外径Ｄ３が杭の外径と略同一となるように形成されており、打撃方向Ａの厚さｔ２は打撃により変形が生じにくく、後述するテーパー部２２の効果を損なわないような幅に形成されている。本実施形態では、５−７ｍｍに形成されている。
【００２７】
テーパー部２２は、係止部２１との境界部では杭の外径と略同一に形成されており、打撃部材１０との境界部２０ａでは位置決め部材３０の外径Ｄ４と略同一となるように形成されている。
【００２８】
位置決め部材３０は、円柱または円筒状で、その外径Ｄ４が杭の内径（４３．８ｍｍ）よりわずかに小さく、杭Ｋの開口した一端から挿入可能で開口端部Ｋ１において位置決めを行うことができるように形成されている。これにより、位置決め部材３０を杭Ｋの開口端部Ｋ１から挿入するだけで杭打ち治具１の正確な位置決めを行うことができ、がたつきがなく、安定した杭打ち作業を行うことができる。
【００２９】
また、位置決め部材３０は、強力な打撃力を負荷したときにも、杭打ち治具が杭の開口部から飛び出すことがない長さＬに形成されており、例えば、長さＬが４０ｍｍ以上に形成されている。
【００３０】
杭打ち治具１を用いて杭を地面に打ち込む方法について説明する。まず、位置決め部材３０を杭Ｋの開口した一端から挿入し、杭打ち治具１を伝達部材２０の係止部２１が杭Ｋの開口端部Ｋ１に係止する状態に位置決めする。
【００３１】
続いて、ハンマー等の打撃具により打撃部材１０を打撃し、打撃力を負荷する。打撃部材１０に負荷された打撃力は、伝達部材２０のテーパー部２２を伝達し、係止部２１を介して杭Ｋの開口端部Ｋ１に負荷される。
【００３２】
ここで、打撃部材１０は硬度が高く変形しにくいので、十分な打撃力を負荷することができる。また、打撃面１０ａが変形しにくいため、杭Ｋに対して打撃方向Ａからずれた曲げ方向の応力が負荷されることがなく、杭Ｋの変形を防ぐことができる。
【００３３】
伝達部材２０は、打撃部材１０に負荷された打撃力を打撃方向Ａから略円錐面２２ａの方向に拡張して伝達してから係止部２１を介して杭Ｋの開口端部Ｋ１に負荷するため、過大な打撃力が杭Ｋに負荷されることがない。
特に、打撃部材１０との境界部では位置決め部材３０の外径Ｄ１と略同一となるように形成されているため、打撃部材１０が受けた打撃力が、打撃方向Ａから略円錐面２２ａの方向に拡張して伝達してから杭Ｋの開口端部Ｋ１に負荷され、打撃方向Ａに伝達して直接杭Ｋの開口端部Ｋ１に負荷されることがないため、過大な打撃力が杭Ｋに負荷されることがない。
また、伝達部材２０は打撃部材１０よりも軟質であるため、打撃部材１０に過大な打撃力が負荷された場合でも、打撃力を吸収することができる。このように、杭Ｋに過大な打撃力が伝達されることがないため、杭Ｋにふくれや座屈などの変形が生じることを防ぐことができる。
【００３４】
また、係止部２１が円柱状に形成されているので、変形を生じにくいとともに、杭の開口端部Ｋ１に打撃力を確実に伝達させることができる。係止部２１は、外径が杭Ｋの外径と略同一に形成されているので、係止部２１が開口端部Ｋ１に係止する幅が狭すぎて十分な打撃力が杭Ｋに伝達されなかったり杭Ｋの開口端部Ｋ１が変形したりすることがない。また、係止部２１が係止する幅が広すぎて杭Ｋが係止部２１に食い込み係止部２１が変形することがない。これにより、杭Ｋや杭打ち治具１の変形などの不具合が生じることなく、安定した杭打ち作業を行うことができる。ここで、係止部２１を設けずにテーパー部２２のみとすると、変形しやすくなり耐久性が不足する。
【００３５】
また、位置決め部材３０は、強力な打撃力を負荷したときにも杭Ｋから飛び出さない長さＬに形成されているため、連続して大きな打撃力を負荷することができるので、効率的な杭打ち作業を行うことができる。位置決め部材３０は、杭Ｋにほぼ内接するように形成されているため、杭Ｋが内側に変形するような応力が負荷されたときにも位置決め部材３０により杭Ｋの内側から支持して変形しないようにすることができる。
【００３６】
打撃部材１０、伝達部材２０及び位置決め部材３０は、打撃方向Ａに対して同軸となるように形成されているため、杭Ｋに対して打撃方向Ａからずれた曲げ方向の応力が負荷されることがなく、杭Ｋの変形を防ぐことができる。
【００３７】
本実施形態では、伝達部材２０と位置決め部材３０とは一体に作製されている。打撃部材１０は、図３に示すように別体で作製し、打撃面１０ａに対向する面に伝達部材２０のテーパー部２２を圧入可能な内径がＤ１（４３．８ｍｍ）の円筒状の凹部１０ｂが形成されている。焼き入れ処理を施した後の打撃部材１０の凹部１０ｂに伝達部材２０のテーパー部２２を圧入して一体的に形成することができる。このとき、打撃部材１０に負荷された打撃力を伝達部材２０に有効に伝達することができるように、テーパー部２２の先端と凹部１０ｂの底面とが接触するようにする。
これにより、杭打ち治具１は、他の部材と硬度が異なる打撃部材１０が圧入により伝達部材２０と結合されることにより一体的に形成されるので、簡単な工程で作製することができる。なお、打撃部材１０、伝達部材２０及び位置決め部材３０を一体形成して打撃部材１０にのみ焼き入れ処理を行い、硬度を高くすることもできる。
【００３８】
（実施形態の効果）
本発明の杭打ち治具１によれば、上記の特徴ある構成を有するため、耐久性が高く、杭が変形せずに杭打ち作業が可能である杭の杭打ち治具とすることができる。
【００３９】
（第２実施形態）
第１実施形態の杭打ち治具１において、打撃部材１０を設けない構成とすることもできる。図４に示すように、杭打ち治具２は、杭Ｋの開口した一端から挿入可能で杭打ち治具の位置決めを行う位置決め部材５０と、位置決め部材５０と打撃方向に同軸に連結され、ハンマー等の打撃具により打撃を加える打撃面４０ａを有し、打撃具に負荷された打撃力を杭に伝達する伝達部材４０と、を備えている。
【００４０】
伝達部材４０は、位置決め部材５０側で杭Ｋの開口端部Ｋ１に係止する外形が円柱状の係止部４１と、係止部４１と連続して形成され、位置決め部材５０と反対側に向かって外径が小さくなる略円錐面４２ａを有するテーパー部４２と、を備えている。また、テーパー部４２の打撃面４０ａ側には、第１実施形態の杭打ち治具１における打撃部材１０に相当する硬度が高い領域である高硬度部４３が形成されている。打撃面４０ａは、外径Ｄ５が位置決め部材５０の外径Ｄ４と略同一となるように形成されている。
【００４１】
上述の構成の杭打ち治具２によっても、第１実施形態の杭打ち治具１と同様の効果を奏することができる。
【実施例】
【００４２】
本発明の杭打ち治具と、異なる形状の杭打ち治具（比較例）を用いて、外径４８．６ｍｍ、内径４３．８ｍｍ（肉厚２．４ｍｍ）、長さ１０００ｍｍの杭打ち作業を行い、杭及び杭打ち治具の状態を調べた。
【００４３】
比較例１（図５（Ａ））
・打撃部材１０なし
・伝達部材２０が円柱状：テーパー部２２なし
【００４４】
比較例１では、２０回程度の打撃で打撃面が変形し、安定した杭打ち作業ができなくなった。また、杭の開口部近傍が外方に膨れる変形が生じた。
【００４５】
比較例２
・形状は比較例１に同じ
・伝達部材２０に焼入れ処理
【００４６】
比較例２では、杭に過大な打撃力が負荷され、杭の開口部近傍が外方に膨れる変形が比較例１よりも顕著に表れた。
【００４７】
比較例３（図５（Ｂ））
・第１実施形態の杭打ち治具１の構成のうち、テーパー部２２と打撃部材１０との境界部２０ａの外径が位置決め部材３０の外径より小さい形状
【００４８】
比較例３では、２０回程度の打撃でテーパー部２２が境界部２０ａ近傍で変形し、安定した杭打ち作業ができなくなった。
【００４９】
比較例４（図５（Ｄ））
・第１実施形態の杭打ち治具１の構成のうち、テーパー部２２と打撃部材１０との境界部２０ａの外径が位置決め部材３０の外径より大きい形状
【００５０】
比較例４では、杭の開口部近傍が外方に膨れる変形が表れ、テーパー部２２の奏する効果が低減した。
【００５１】
第１実施形態の杭打ち治具（図２）を用いた場合、杭は変形することなく打ち込み可能で、杭打ち治具にも変形は生じなかった。これにより、本発明の杭打ち治具が奏する効果が確認された。
【符号の説明】
【００５２】
１、２…杭打ち治具
１０…打撃部材
１０ａ…打撃面
１０ｂ…凹部
２０…伝達部材
２０ａ…境界部
２１…係止部
２２…テーパー部
２２ａ…略円錐面
３０…位置決め部材
４０…伝達部材
４０ａ…打撃面
４１…係止部
４２…テーパー部
４２ａ…略円錐面
４３…高硬度部
５０…位置決め部材
Ｋ…杭
Ｋ１…杭の開口端部
【図１】
0006671070.tif 000002
【図２】
0006671070.tif 000003
【図３】
0006671070.tif 000004
【図４】
0006671070.tif 000005
【図５】
0006671070.tif 000006